(57)【特許請求の範囲】
【請求項１】
バックの内面に熱作用により溶融するある量の糊（４）を設けた形式のバインディング要素（３）のための少なくとも１つの支持体（５、５Ａ、５Ｂ）、該支持体（５、５Ａ、５Ｂ）と共働するか或はその１部をなす加熱素子（６）、バインディング装置（１）にバインディング要素（３）のあることを検知する検出手段（７）、一方において該検出手段（７）に接続され、他方において上記加熱素子（６）に接続されてこれをオン及び或はオフに切り換えたりする制御器及び或はスイッチング手段（８）とより主としてなる、シートの加熱バインディング装置であって、上記検出手段（７）が、スチールのバック型（１１）を持ったバインディング要素（３）の存在を感知する磁気感知素子（１２）又は磁気を利用する他の検出手段よりなるか、または、一方では上記バインディング要素（３）が配設された時に上記支持体（５、５Ａ、５Ｂ）が動くようにする手段（１５）、他方では該支持体（５、５Ａ、５Ｂ）の動きを検知できる検知素子（１６）とよりなり、上記検出手段（７）が上記支持体（５、５Ａ、５Ｂ）の下に配設され、上記磁気感知素子（１２）が垂直に可動の可動磁気素子（１３）と、上記磁気素子（１３）の動きを検知する手段（１４）とよりなることを特徴とするシートの加熱バインディング装置。
【請求項２】
上記磁気素子（１３）の動きを検知する手段（１４）が磁界の変化を感知するソレノイドよりなることを特徴とする請求項１に記載のシートの加熱バインディング装置。
【請求項３】
上記バインディング要素（３）が配設された時に上記支持体（５、５Ａ、５Ｂ）が動くようにする手段（１５）が上記支持体（５、５Ａ、５Ｂ）の為のヒンジ懸架部よりなり、上記検知素子（１６）が上記支持体（５、５Ａ、５Ｂ）と共働するスイッチ、プッシュボタンよりなることを特徴とする請求項１に記載のシートの加熱バインディング装置。
【請求項４】
複数の上記支持体（５、５Ａ、５Ｂ）が複数のバインディング要素（３）の同時処理のため連続して置かれるが、これら支持体（５、５Ａ、５Ｂ）は連接して設置されることを特徴とする請求項１乃至３のいずれかに記載のシートの加熱バインディング装置。
【請求項５】
複数の上記支持体（５、５Ａ、５Ｂ）が複数のバインディング要素（３）の同時処理のため連続して置かれ、これら個々の支持体（５、５Ａ、５Ｂ）は別々の加熱素子（６）を持ち、更にこれら個々の支持体（５、５Ａ、５Ｂ）は別々の検出手段（７）並びに別々の制御器及び或はスイッチング手段（８）を備えることを特徴とする請求項１乃至４のいずれかに記載のシートの加熱バインディング装置。
【請求項６】
上記検出手段（７）が上記加熱素子（６）の下に配置されることを特徴とする請求項１乃至５のいずれかに記載のシートの加熱バインディング装置。
【発明の詳細な説明】
【０００１】
【発明の属する技術分野】
本発明はシートの加熱バインディング装置にかかり、特にバックの内面に熱作用により溶融するある量の糊を設けた形式のバインディング要素によるシートの加熱バインディング装置にかかる。
【０００２】
【従来の技術】
この種装置はバインディングバックに設けられるバインディング要素上の支持体と、該支持体と共働するかこの１部をなす加熱素子であって、この加熱素子への通電により上記バインディングバックが加熱され、糊が溶け、綴じられるべきシートが該糊内に入り込む加熱素子とより主としてなることが知られている。
【０００３】
この種バインディング装置に装置内へのバインディング要素の存在を検知する検出手段を備え、更に該検出手段に接続されたり或は上記加熱素子に接続されてこれをオン及び或はオフに切り換えたりする制御器及び或はスイッチング手段を備え、バインディング操作が多少なりとも自動的に繰り返されるものも知られている。
【０００４】
これら公知の例においてはこれら検出手段は上記支持体上で横に取り付けられた光学的な目よりなり、支持体上へのバインディング要素の存在を検知していた。しかしこれらの例では以下の多数の欠点があった。
【０００５】
第１の欠点は、バインディング装置内に本来滞留しこの光学的な目の前にあるダスト、材料カス等のごみで作業が阻害されることにある。
【０００６】
第２の欠点は、この光学的な目があることはバインディング装置の幅に悪影響し、複数装置の場合は即ち多数の支持体が隣同士に配列されている場合はこのような光学的な目の利用が阻害され、装置の自動化がほとんど考えられなくなることである。
【０００７】
【発明が解決しようとする課題】
本発明の解決しようとする課題は上記欠点を排除したバインディング装置を提起することである。
【０００８】
【課題を解決するための手段】
このため本発明は、バックの内面に熱作用により溶融するある量の糊を設けた形式のバインディング要素のための少なくとも１つの支持体、該支持体と共働するか、その１部をなす加熱素子、バインディング装置にバインディング要素のあることを検知する検出手段、一方において該検出手段に接続され、他方において上記加熱素子に接続されてこれをオン及び或はオフに切り換えたりする制御器及び或はスイッチング手段とより主としてなり、上記検出手段が上記支持体の下に配設される。上記検出手段が上記支持体の下に配設されていることに依り作業は阻害されることなく、装置の幅にも影響しない。
【０００９】
好ましくは、検出手段は支持体の下に直接設けずこの支持体と共働する加熱素子の下に設け、検出手段が加熱素子から支持体への熱伝達に影響しないようにするのが望ましい。
【００１０】
金属、特にスチールのバック型を持った、バインディング要素によりバインディングをしようとする場合には、上記検出手段は装置内の金属バックの存在に反応する磁気感知素子よりなることが好ましい。
【００１１】
溶融性糊を利用するすべての種類のバインディング要素が用いられ得る他の実施例によれば、本発明の検出手段は一方では上記バインディング要素が配設された時に好ましくは重量により上記支持体を動くようにする手段と、他方では該支持体の動きを検知できる例えばスイッチ、プッシュボタン、センサ等よりなる検知素子とからなる。
【００１２】
本発明の特徴をよく示すため若干の好ましい実施例を図面と共に説明するが、本発明特徴を限定するわけではない。
【００１３】
【発明の実施の形態】
図１にはバインディング要素３にシート２を綴じる公知装置が示され、特に熱により溶ける糊４を持ったバインディング要素３を示す。
【００１４】
バインディング装置１はバインディング要素３のための支持体５、該支持体５と共働する加熱素子６、バインディング装置１にバインディング要素３のあることを検知する検出手段７、一方では該検出手段７に接続され、他方では上記加熱素子６に接続されてこれをオン及び或はオフに切り換えたりする制御器及び或はスイッチング手段８とよりなる。ここで検出手段７は光学的な目９よりなり、当然に支持体５の横の隣に設けなければならず、前述の欠点が発生する。
【００１５】
図２に示す様に多数の支持体５、５Ａ、５Ｂが隣合わせに設けられている時は光学的な目９の利用は実際上排除される。
【００１６】
本発明では、これは図３乃至６に示すように検出手段７を上記支持体５、５Ａ、５Ｂ夫々の下に配設することにより解決される。
【００１７】
図５にはバインディング要素３でシート２を綴じるに用いられるべき実際の例を詳細に示し、ここでは金属特にスチール型１１で作られたバインディングバック１０を備え、検出手段７は装置１内の金属型１１の存在に反応する磁気感知素子１２よりなる。
【００１８】
略図で示すようにこの感知素子１２は垂直に可動の可動子１３と、この可動子１３の動きを検出するソレノイドの様な手段１４とより成る。この働きはバインディング要素３が支持体５におかれた時、可動子１３が型１１に引き寄せられソレノイドに電気信号を生じ、上記制御及び或はスイッチング手段（８）に依り加熱素子６の所望の制御がなされる。
【００１９】
この磁性を利用した検出手段７は、素子１３の動きを感知するリードリレに変更したり、型１１内への磁束貫通による変化磁界を発生する素子に変更し電気的に測定する様に変形してもよい。
【００２０】
図６に示す実施例においては、検出手段７が一方ではこの場合バインディング要素３とシート２との重量によりバインディング要素３が配設された時に支持体５が動く様にする手段１５と他方では支持体５の動きを検出する検出素子１６とよりなり、然して制御器及び或はスイッチング手段８に信号を与える。
【００２１】
ここに示した例においては、上記手段１５は支持体５の為のスプリングヒンジ懸架部１７よりなり、これは一方ではヒンジ接続１８、他方ではスプリング１９による支持部とより形成され、支持体５へのバインディング要素３とシート２とを配設することにより支持体５が先端部２０において動くようにされる。
【００２２】
検知素子１６は例えばプッシュボタン、スイッチ、或はセンサよりなり、先端部２０における支持体５の動きに反応する。
【００２３】
本実施例の作用はバインディング要素３とシート２との重量のもとに支持体５がヒンジ点１８を回るという事と、この動きが検知素子１６により検出され制御器及び或はスイッチング手段８に指令すると言う事とに基づく。
【００２４】
制御器及び或はスイッチング手段８の作用は種々態様でなし得る。この制御器及び或はスイッチング手段８は例えば電気的及び或は電気回路的のもの、即ちスイッチングシステムよりなり、検出手段７が支持体５上のバインディング要素３の存在を検知する限り加熱素子６を入路するものである。変形によれば制御器及び或はスイッチング手段８にタイミング回路を設けて支持体５上にバインディング要素３が配設された後に加熱素子６に通電してもよいし、またこの加熱素子６がある時間経過後に自動的に通電が止まる様にしてもよい。
【００２５】
これら制御器及び或はスイッチング手段８は装置１の作業者に加熱素子６に通電されているかどうかを知らせる表示器乃至はパイロットランプを接続する事も出来る。
【００２６】
最も簡単な実施例においては、検出手段７と制御器及び或はスイッチング手段８と全体を１体化する。この場合、これらはプッシュボタンとし、押した時は加熱素子６の電気回路が閉じる様にする。
【００２７】
図３に示す様に各支持体５、５Ａ、５Ｂが別々に加熱素子６を備え、各支持体は更に別々に検出手段７、そして別々に制御器及び或はスイッチング手段８を備える様、本装置１を隣り合わせに配列して多数の加熱素子６を同時取扱いができるようにする。
【００２８】
本発明はここに説述した実施例にとらわれず、このようなシート加熱バインディング装置は本発明の範囲から逸脱することなく種々な形態で実現出来る。
【図面の簡単な説明】
【図１】  公知装置の断面略図である。
【図２】  図１の変形を示す図である。
【図３】  本発明装置の断面略図である。
【図４】  図３のIV−IV線破断略図である。
【図５】  図４のＶ−Ｖ線破断拡大図であって本発明の実際の例を示す図である。
【図６】  図４に似た本発明の他の実施例を示す図である。
【符号の説明】
１・・・シート加熱バインディング装置
２・・・シート
３・・・バインディング要素
４・・・熱溶融性糊
５・・・支持体
６・・・加熱素子
７・・・検出手段
８・・・制御器及び或はスイッチング手段
９・・・光学的な目
１１・・バック型
１２・・磁気感知素子
１６・・検知素子
【図１】
0004146918.tif 000002
【図２】
0004146918.tif 000003
【図３】
0004146918.tif 000004
【図４】
0004146918.tif 000005
【図５】
0004146918.tif 000006
【図６】
0004146918.tif 000007